(57)【特許請求の範囲】
【請求項１】
パネル基材の裏面に緩衝材が貼着されたパネル本体と、前記パネル本体における前記パネル基材と前記緩衝材との間に挟み込まれた電気ヒータとを備え、前記パネル基材同士が相互に実接合される２枚の床暖房パネルのそれぞれの電気ヒータが、短手方向に所定間隔を開けて整列された２枚の前記パネル本体をその短手方向に横断する共通の電源線に予め接続されており、
２枚の前記パネル本体間における前記電源線の導出部分の間隔が前記所定間隔より広がらないように、２枚の前記パネル本体の前記パネル基材同士が保護線によって相互に接続されていると共に、２枚の前記パネル本体間に露出している前記電源線の長さが前記所定間隔より長く設定されており、
前記パネル本体の前記緩衝材には、２枚の前記床暖房パネル同士を実結合した状態で、前記保護線を収容する保護線収容凹部が形成されていることを特徴とする床暖房パネルユニット。
【請求項２】
２枚の前記パネル本体が、前記電源線を挟んでその両側部分で、前記保護線によってそれぞれ接続されている請求項１に記載の床暖房パネルユニット。
【発明の詳細な説明】
【０００１】
【発明の属する技術分野】
この発明は、２枚の床暖房パネルがユニット化された床暖房パネルユニットに関する。
【０００２】
【従来の技術及び発明が解決しようとする課題】
床仕上材として使用される床仕上材一体型の床暖房パネルは、図７に示すように、通常、表面に突板等の表面仕上材が貼着されたパネル基材を有する長方形状のパネル本体５１と、このパネル本体５１に内蔵される面状発熱体や線ヒータ等の電気ヒータ５２と、この電気ヒータ５２に電気的に接続された状態でパネル本体５１の内部をその短手方向に横断する電源線５３と、この電源線５３の両端部に接続されたコネクタ５４とを備えており、複数の床暖房パネル５０を、図８に示すように、コネクタ５４を介して電気ヒータ５２（電源線５３）を相互に接続しながら床下地材の上に順次敷設していくことで床暖房フロアが施工される。
【０００３】
ところで、上述したような床暖房パネル５０では、１枚のパネルに対して個別に電源線５３が配設されているので、各パネル間における電源線５３の接続作業性を考慮すると、上述したように、電源線５３の両端部には必ずコネクタ５４を接続しておく必要があり、このコネクタの存在が床暖房パネル５０のコストアップの要因となっている。しかも、各パネル毎にコネクタ５４が設けられていることから、この床暖房パネル５０を用いて床暖房フロアを施工する場合は、１枚の床暖房パネル５０を敷設する度毎にコネクタ５４による電源線５３の接続を行わなければならず、効率よく床暖房フロアを施工することができないといった問題があった。
【０００４】
こういった問題を解決するために、本出願人は、平成１１年２月１８日付で提出した特許出願において、２枚の床暖房パネルを予めユニット化した床暖房パネルユニットを提案している（特願平１１−３９６０３号）。この床暖房パネルユニットは、図９に示すように、所定間隔を開けた状態で整列される２枚の床暖房パネル６０ａ、６０ｂにそれぞれ内蔵された電気ヒータ（図示せず）が、両床暖房パネル６０ａ、６０ｂをその短手方向に横断する共通の電源線６１に予め接続されると共に、この電源線６１の両端部に１組のコネクタ６２が接続されたものである。
【０００５】
従って、現場施工者は、２枚の床暖房パネル６０ａ、６０ｂがユニット化されたパネルユニット単位で電源線６１を相互に接続すればよく、パネル単位で個別に電源線を接続しなければならない従来の床暖房パネル５０に比べて効率よく床暖房フロアを施工することができる。しかも、上述したように、２枚の床暖房パネル６０ａ、６０ｂに対して１組のコネクタ６２を取り付ければよいので、床暖房パネルを個別に供給する場合に比べてコネクタの使用数が半分になり、床暖房パネル１枚あたりの単価を下げることができるという効果がある。
【０００６】
しかしながら、上述した床暖房パネルユニット６０は、２枚の床暖房パネル６０ａ、６０ｂが、共通の電源線６２によって接続されているだけなので、この床暖房パネルユニット６０を輸送する際や、この床暖房パネルユニット６０を用いて床暖房フロアを施工する際において、図１０に示すように、一方の床暖房パネル６０ａのみを持った場合、他方の床暖房パネル６０ｂの重量が全て共通の電源線６１にかかることになるので、電源線６１と各電気ヒータとの結線部分や電源線６１自体が損傷を受けやすいといった問題がある。
【０００７】
そこで、この発明の課題は、片方の床暖房パネルを持って取り扱った場合でも、電源線と各電気ヒータとの結線部分や電源線自体が損傷を受けにくい床暖房パネルユニットを提供することにある。
【０００８】
【課題を解決するための手段及びその効果】
上記の課題を解決するため、この発明は、パネル基材の裏面に緩衝材が貼着されたパネル本体と、前記パネル本体における前記パネル基材と前記緩衝材との間に挟み込まれた電気ヒータとを備え、前記パネル基材同士が相互に実接合される２枚の床暖房パネルのそれぞれの電気ヒータが、短手方向に所定間隔を開けて整列された２枚の前記パネル本体をその短手方向に横断する共通の電源線に予め接続されており、２枚の前記パネル本体間における前記電源線の導出部分の間隔が前記所定間隔より広がらないように、２枚の前記パネル本体の前記パネル基材同士が保護線によって相互に接続されていると共に、２枚の前記パネル本体間に露出している前記電源線の長さが前記所定間隔より長く設定されており、前記パネル本体の前記緩衝材には、２枚の前記床暖房パネル同士を実結合した状態で、前記保護線を収容する保護線収容凹部が形成されていることを特徴とする床暖房パネルユニットを提供するものである。
【０００９】
以上のように構成された床暖房パネルユニットは、２枚のパネル本体間における電源線の導出部分の間隔が所定間隔より広がらないように、２枚の前記パネル本体が保護線によって相互に接続されており、しかも、２枚の前記パネル本体間に露出している前記電源線の長さが前記所定間隔よりも長く設定されているので、例えば、現場施工者が、床暖房パネルユニットを運搬する際や敷設する際に、一方の床暖房パネルを持ってこの床暖房パネルユニットを取り扱った場合でも、他方の床暖房パネルが保護線のみによって一方の床暖房パネルに確実に支持されることになる。従って、２枚のパネル本体間に露出している電源線は常に弛んだ状態に保持され、他方の床暖房パネルの重量が電源線に直接かかることがないので、電源線と各電気ヒータとの結線部分や電源線自体が損傷を受けることがない。
【００１０】
また、１本の保護線によって２枚のパネル本体を接続する場合は、２枚のパネル本体間における電源線の導出部分に保護線を接続しなければならないが、請求項２に記載の床暖房パネルユニットのように、２枚の前記パネル本体を、前記電源線を挟んでその両側部分で、前記保護線によってそれぞれ接続するようにしておくと、床暖房パネルの任意の位置において保護線を接続することができるので、床暖房パネルを設計する際の自由度が広がるという効果がある。
【００１１】
【発明の実施の形態】
以下、実施の形態について図面を参照して説明する。図１（ａ）、（ｂ）及び図２に示すように、この床暖房パネルユニット１は、コンクリートスラブ上に直接敷設される直貼りタイプの２枚の床暖房パネル２ａ、２ｂを備えており、この２枚の床暖房パネル２ａ、２ｂは、短手方向に整列された状態で、引張強度の大きい釣り糸等の合成樹脂製の糸条によって形成された２本の保護線４０によって相互に接続されている。
【００１２】
各床暖房パネル２ａ、２ｂは、雁行形状のパネル本体１０と、このパネル本体１０に内蔵される線ヒータ２２を有する発熱体２０とを備えており、各床暖房パネル２ａ、２ｂの線ヒータ２２が、整列された２枚の床暖房パネル２ａ、２ｂを短手方向に横断する、ＶＶＦケーブルからなる共通の電源線３０に導線３２を介して予め接続されることによって、ユニット化されている。
【００１３】
前記パネル本体１０は、図２に示すように、表面にアルミニウム箔等からなる均熱シート１３及び突板等からなる表面化粧材１４とが順次積層された、３プライ合板または５プライ合板等の木質板からなるパネル基材１１と、このパネル基材１１の裏面側に貼着される、多数のポリエステル繊維（ポリエチレンテレフタレート繊維）を交絡させた伸張性を有する繊維集合体によって形成されたクッション性の良好な緩衝材１５とから構成されており、前記発熱体２０はパネル基材１１と緩衝材１５との間に挟み込まれた状態で内蔵されている。
【００１４】
前記パネル基材１１は、図１（ａ）に示すように、表面化粧材１４に擬似溝１４ａが形成された４枚の基材ピース１２をその長手方向に不規則にずらした状態で短手方向に相互に接合したものであり、このパネル基材１１の裏面には、同図（ｂ）及び図２に示すように、その短手方向に延びる多数の溝（切込）１１ａと、長手方向の中央部を短手方向に横断する、電源線３０を収容するための電源線収容溝１１ｂとが形成されている。
【００１５】
前記発熱体２０は、図１（ｂ）及び図２に示すように、接着剤が良好に浸透する不織布等からなる基材シート２１と、この基材シート２１に所定のヒータパターンで布線され、絶縁層である外皮部分が基材シート２１に溶着された線ヒータ（電気ヒータ）２２とから構成されており、線ヒータ２２が緩衝材１５と接触するような状態で、パネル基材１１と緩衝材１５との双方に接着剤によって接着されている。
【００１６】
前記電源線３０は、図１（ａ）、（ｂ）及び図２に示すように、各床暖房パネル２ａ、２ｂのパネル基材１１の裏面にそれぞれ形成された電源線収容溝１１ｂに収容された状態で、所定間隔を開けて整列された２枚の床暖房パネル２ａ、２ｂのパネル本体１０をその短手方向に横断するように配設されており、両端部には、短手方向に隣接する床暖房パネルユニット１同士を電気的に接続するためのコネクタ３１がそれぞれ接続されている。
【００１７】
また、２枚の床暖房パネル２ａ、２ｂ間に露出している電源線３０の導出部分には、図３（ａ）及び図４（ａ）に示すように、双方のパネル基材１１が部分的に切除されることによって電源線収納凹部３ａ、３ｂがそれぞれ形成されており、この床暖房パネルユニット１を構成している２枚の床暖房パネル２ａ、２ｂが実結合された敷設状態では、図３（ｂ）及び図４（ｂ）に示すように、双方の電源線収納凹部３ａ、３ｂと緩衝材１５とによって形成された空間内に電源線３０を収容することができるようになっている。
【００１８】
２枚の床暖房パネル２ａ、２ｂは、図１（ａ）、（ｂ）及び図５（ａ）に示すように、その間に露出した電源線３０の両側において、２本の保護線４０によってそれぞれ接続されており、各保護線４０の両端部が、各床暖房パネル２ａ、２ｂのパネル基材１１の裏面にタッカによって固定されることで、２枚のパネル本体１０間における電源線３０の導出部分の間隔が所定間隔（２０ｍｍ程度）よりも大きくならないようになっている。
【００１９】
２本の保護線４０のパネル基材１１への固定部分は、図３（ａ）及び図５（ａ）に示すように、緩衝材１５が部分的に切除されることによって保護線収納凹部４ａ、４ｂがそれぞれ形成されており、この床暖房パネルユニット１を構成している２枚の床暖房パネル２ａ、２ｂが実結合された敷設状態では、図３（ｂ）及び図５（ｂ）に示すように、双方の保護線収納凹部４ａ、４ｂとコンクリートスラブとによって形成された空間内に保護線４０を収容することができるようになっている。
【００２０】
また、２枚のパネル本体１０間に露出している電源線３０は、図１（ａ）、（ｂ）及び図３（ａ）に示すように、２本の保護線４０によって規制された電源線３０の導出部分における床暖房パネル２ａ、２ｂの所定間隔（最大間隔）より長くなるように設定されており、図６（ａ）、（ｂ）に示すように、一方の床暖房パネル２ａに対して他方の床暖房パネル２ｂがいかなる方向に引っ張られたとしても、常に弛んだ状態に保持されている。
【００２１】
以上のように、この床暖房パネルユニット１は、２枚のパネル本体１０間における電源線３０の導出部分の間隔が所定間隔（最大間隔）より大きくならないように、２枚のパネル本体１０が２本の保護線４０によって相互に接続されており、しかも、２枚のパネル本体１０間に露出している電源線３０の長さが保護線４０によって規制される所定間隔（最大間隔）よりも長く設定されているので、２枚のパネル本体１０間に露出している電源線４０は常に弛んだ状態に保持されることになる。
【００２２】
従って、現場施工者が、床暖房パネルユニットを運搬する際や敷設する際に、一方の床暖房パネル２ａを持ってこの床暖房パネルユニット１を取り扱った場合でも、他方の床暖房パネル２ｂが保護線４０のみによって一方の床暖房パネル２ａに確実に支持され、他方の床暖房パネル２ｂの重量が電源線３０に直接かかることがないので、電源線３０と各電気ヒータ２２との結線部分に結線不良が発生したり、電源線３０自体が損傷を受けることがない。
【００２３】
また、２枚の床暖房パネル２ａ、２ｂを、その間に露出した電源線３０の両側において、２本の保護線４０によってそれぞれ接続する構成を採用しているので、１本の保護線によって接続する場合に比べて、より確実に電源線３０を保護することができ、しかも、床暖房パネル２ａ、２ｂの任意の位置において保護線４０を接続することができるので、床暖房パネル２ａ、２ｂを設計する際の自由度が広がるという効果がある。
【００２４】
なお、この実施形態では、保護線４０として、釣り糸等の合成樹脂製の糸条を使用しているが、これに限定されるものではなく、ある程度の引張強度を有するものであれば、凧糸、ピアノ線等、種々の糸条や線材を使用することが可能である。ただし、ピアノ線のような導電性を有する金属材料等によって形成された線材を保護線として使用すると、電源線３０と接触した場合に漏電のおそれがあるため、保護線としては非導電性の糸条や線材を使用することが望ましい。
【００２５】
また、上述した実施形態では、２本の保護線４０によって２枚の床暖房パネル２ａ、２ｂを接続しているが、これに限定されるものではなく、１本または３本以上の保護線４０によって２枚の床暖房パネル２ａ、２ｂを接続することも可能である。ただし、１本の保護線４０によって２枚の床暖房パネル２ａ、２ｂを接続する場合は、２枚の床暖房パネル２ａ、２ｂ間における電源線３０の導出部分に接続しておかなければならない。
【００２６】
また、上述した実施形態では、２枚の床暖房パネル２ａ、２ｂを横断する電源線３０として、連続した１本のＶＶＦケーブルを使用しているので、２枚の床暖房パネル２ａ、２ｂを同時に形成しながらユニット化するといった手間のかかる方法で製造しなければならないが、例えば、分割された２本のＶＶＦケーブルを使用して２枚の床暖房パネルを個別に形成した後、ＶＶＦケーブル同士を簡易なコネクタによって接続することにより、この床暖房パネルユニット１をより簡単に製造することが可能となる。
【００２７】
また、上述した実施形態では、線ヒータ２２を有する発熱体２０を使用しているが、これに限定されるものではなく、自己温度制御特性を有する面状発熱体等の種々の電気ヒータを使用することも可能である。
【００２８】
また、上述した実施形態では、雁行形状のパネル基材１１を使用しているが、こういったパネル基材に限定されるものではなく、長方形状のパネル基材を使用することも可能である。
【００２９】
また、上述した実施形態では、電源線３０及び保護線４０を収容する電源線収納凹部３ａ、３ｂ及び保護線収納凹部４ａ、４ｂを２枚の床暖房パネル２ａ、２ｂの双方にそれぞれ形成しているが、電源線３０及び保護線４０を完全に収納することができるのであれば、一方の床暖房パネルのみに電源線収納凹部及び保護線収納凹部を形成したものであってもよい。
【００３０】
また、上述した実施形態では、コンクリートスラブ上に直接敷設する直貼りタイプの床暖房パネル２ａ、２ｂを用いた床暖房パネルユニット１について説明したが、本発明の床暖房パネルユニットはこういった直貼りタイプに限定されるものではなく、根太工法用の床暖房パネルや捨貼り工法用の床暖房パネルについても適用することができることはいうまでもない。
【図面の簡単な説明】
【図１】（ａ）はこの発明にかかる床暖房パネルユニットの一実施形態を示す平面図、（ｂ）は同上の床暖房パネルユニットにおける緩衝材を除いた状態を示す裏面図である。
【図２】同上の床暖房パネルユニットに使用される床暖房パネルを示す断面図である。
【図３】（ａ）は同上の床暖房パネルユニットを示す裏面図、（ｂ）は同上の床暖房パネルユニットを構成している２枚の床暖房パネルを相互に実結合した状態を示す裏面図である。
【図４】（ａ）は図３（ａ）のＶ−Ｖ線に沿った断面図、（ｂ）は図３（ｂ）のＷ−Ｗ線に沿った断面図である。
【図５】（ａ）は図３（ａ）のＸ−Ｘ線に沿った断面図、（ｂ）は図３（ｂ）のＹ−Ｙ線に沿った断面図である。
【図６】（ａ）、（ｂ）は同上の床暖房パネルユニットの取り扱い状態を示す図である。
【図７】従来の床暖房パネルを示す平面図である。
【図８】従来の床暖房パネルを敷設した状態を示す平面図である。
【図９】背景技術としての床暖房パネルユニットを示す平面図である。
【図１０】同上の床暖房パネルユニットの取り扱い状態を示す概略図である。
【符号の説明】
１  床暖房パネルユニット
２ａ、２ｂ  床暖房パネル
３ａ、３ｂ  電源線収納凹部
４ａ、４ｂ  保護線収納凹部
１０  パネル本体
１１  パネル基材
２０  発熱体
２２  線ヒータ
３０  電源線
３１  コネクタ
４０  保護線
【図１】
0004190024.tif 000002
【図２】
0004190024.tif 000003
【図３】
0004190024.tif 000004
【図４】
0004190024.tif 000005
【図５】
0004190024.tif 000006
【図６】
0004190024.tif 000007
【図７】
0004190024.tif 000008
【図８】
0004190024.tif 000009
【図９】
0004190024.tif 000010
【図１０】
0004190024.tif 000011